(57)【要約】      （修正有）【課題】鏡本体に大きな荷重や衝撃が加わっても鏡本体からスタンドの取付け部位が簡単に破損しないようにした卓上鏡を提供する。【解決手段】背板１２にはリベット４０又はねじが挿通される挿通穴１２Ａを形成し、挿通穴の背板正面側にはリベットの端部又はねじの頭部が嵌まり込む段部又は凹部を形成する。一方、取付けブラケット３２をベース板３１と一体的に形成し、ベース板にはリベットが挿通される挿通穴３１Ｃ又はねじが螺合されるねじ穴を形成し、背板の挿通穴に背板正面側からリベット又はねじを挿通し、リベットをベース板の挿通穴に挿通させて締付けるか又はねじをベース板のねじ穴に螺合させることによってベース板が背板に固定する。取付けブラケットの内端側に逆Ｌ字状の係止突起を形成してスタンドの傾斜を規制するのがよい。【選択図】図３
0003179707.tif 000002
【実用新案登録請求の範囲】
【請求項１】
鏡本体が背板に鏡板を取付けて構成される一方、取付けブラケットをベース板に一体的に形成し、ベース板を背板背面に取付け、取付けブラケットにスタンド上端部をベースが回転可能に取付けるようにした卓上鏡において、
上記背板（１２）にはリベット（４０）又はねじが挿通される挿通穴（１２Ａ）が形成され、該挿通穴（１２Ａ）の背板正面側にはリベット（４０）の端部又はねじの頭部が嵌まり込む段部又は凹部が形成される一方、取付けブラケット（３２）がベース板（３１）に一体的に形成され、該ベース板（３１）にはリベット（４０）が挿通される挿通穴（３２１Ｃ）又はねじが螺合されるねじ穴が形成されており、
上記背板（１２）の挿通穴（１２Ａ）に背板正面側からリベット（４０）又はねじが挿通され、上記リベット（４０）がベース板（３１）の挿通穴（３１Ａ）に挿通されて締付けられるか又は上記ねじがベース板のねじ穴に螺合されることによってベース板（３１）が背板（１２）に固定されていることを特徴とする卓上鏡。
【請求項２】
上記取付けブラケット（３２）には内端側に逆Ｌ字状の係止突起（３２Ａ）が形成され、スタンド（２０）の傾斜が規制されるようになっている請求項１記載の卓上鏡。
【考案の詳細な説明】
【技術分野】
【０００１】
この考案は卓上鏡に関し、特に鏡本体に大きな荷重や衝撃が加わっても鏡本体からスタンドの取付け部位が簡単に破損しないようにした卓上鏡に関する。
【背景技術】
【０００２】
卓上鏡は鏡本体とスタンドとから構成され、例えば卓上においてスタンドによって鏡本体を所望の角度に起立させた姿勢に保持するようになっている。
【０００３】
従来、この種の卓上鏡では、背板の背面に取付けブラケットを形成し、取付けブラケットの間にスタンド上端部の回転軸を嵌め込み、スタンドを取付けブラケットに設けたピンに係止させてスタンドの傾斜を調整するようにした構造が知られている（特許文献１、特許文献２）。
【先行技術文献】
【特許文献】
【０００４】
【特許文献１】実開昭５９−１０１７７７号公報
【特許文献２】実開平０６−３３５６８号公報
【考案の開示】
【考案が解決しようとする課題】
【０００５】
しかし、特許文献１、２記載の卓上鏡ではスタンドに過大な荷重や衝撃が加わると、取付けブラケットに荷重や衝撃が作用して取付けブラケットが破損するおそれがあった。
【０００６】
これに対し、取付けブラケットをベース板に一体的に形成し、ベース板を鏡本体の背板に両面粘着テープなどで取付けることが提案されているが、粘着剤が経時劣化するとベース板が背板から外れるおそれがある。
【０００７】
本考案はかかる問題点に鑑み、鏡本体に過大な荷重や衝撃が加わってもスタンドの取付け部位が簡単に破損しないようにした卓上鏡を提供することを課題とする。
【課題を解決するための手段】
【０００８】
そこで、本考案に係る卓上鏡は、鏡本体が背板に鏡板を取付けて構成される一方、取付けブラケットをベース板に一体的に形成し、ベース板を背板背面に取付け、取付けブラケットにスタンド上端部をベースが回転可能に取付けるようにした卓上鏡において、上記背板にはリベット又はねじが挿通される挿通穴が形成され、該挿通穴の背板正面側にはリベットの端部又はねじの頭部が嵌まり込む段部又は凹部が形成される一方、取付けブラケットがベース板に一体的に形成され、該ベース板にはリベットが挿通される挿通穴又はねじが螺合されるねじ穴が形成されており、上記背板の挿通穴に背板正面側からリベット又はねじが挿通され、上記リベットがベース板の挿通穴に挿通されて締付けられるか又は上記ねじがベース板のねじ穴に螺合されることによってベース板が背板に固定されていることを特徴とする。
【０００９】
本発明の特徴の１つはリベット又はねじによってベース板を固定するようにした点にある。これにより、スタンドに過大な荷重や衝撃が加わってもベース板が剥がれるおそれはなく、スタンドの取付け部位が破損するおそれはなく、商品の信頼性を大幅に向上することができる。
【００１０】
また、挿通穴の背板正面側にはリベットの端部又はねじの頭部が嵌まり込む段部又は凹部を形成するようにしたので、リベット又はねじが背板表面から突き出ることはなく、鏡板を確実かつ安定に背板に取り付けることができる。
【００１１】
スタンドは取付けブラケットに対して回転自在に取付けてもよいが、鏡本体に荷重や衝撃が加わったときにスタンドが傾いて鏡本体が倒れてしまい、荷重や衝撃の加わり方によってはスタンドと取付けブラケットとの取付け部位が破損するおそれがある。
【００１２】
そこで、取付けブラケットには内端側に逆Ｌ字状の係止突起を形成し、スタンドの傾斜を規制するようにするのがよい。
【００１３】
鏡板及び背板の形状は特に限定されず、円形や多角形、動物などの任意の形状でもよい。また、背板の材料は特に限定されず、合成樹脂材料や金属材料、木板を使用することができる。
【図面の簡単な説明】
【００１４】
【図１】本考案に係る卓上鏡の好ましい実施形態を示す正面から見たときの斜視図である。
【図２】上記実施形態を背面から見たときの斜視図である。
【図３】上記実施形態における背板とスタンドの取付け構造を示す分解斜視図である。
【図４】上記実施形態におけるスタンドと取付けブラケットとの関係を示す斜視図である。
【図５】第２の実施形態を示す正面図である。
【図６】上記実施形態を背面から見たときの斜視図である。
【考案を実施するための形態】
【００１５】
以下、本考案を図面に示す具体例に基づいて詳細に説明する。図１ないし図４は本考案に係る卓上鏡の好ましい実施形態を示す。図において、卓上鏡は鏡本体１０とスタンド２０と取付け部材３０とから構成され、鏡本体１０は四角形状の背板１２と背板１２に例えば両面粘着テープによって取付けられた鏡板１１とから構成されている。
【００１６】
背板１２は合成樹脂材料を用いて製作されているが、木板で製作してもよい。他方、スタンド２０は合成樹脂材料を用いて帯板状に製造され、先端部両側には取付けピン２０Ａが一体に形成されている。
【００１７】
取付け部材３０は合成樹脂材料を用いて製造され、ベース板３１と左右一対の取付けブラケット３２とから構成され、ベース板３１には左右一対の取付けブラケット３２の間に長穴３１Ａが形成され、長穴３１Ａには正面側からスタンド２０が挿通され、又ベース板３１には卓上鏡を壁面のフックなどに引っ掛けるための突起３１Ｂが形成されている。
【００１８】
また、左右一対の取付けブラケット３２の内端部には逆Ｌ字状の係止突起３２Ａが一体に形成され、又取付けブラケット３２の内端面には凹部（図示せず）が形成されて長穴３１Ａから挿入されたスタンド２０の取付けピン２０Ａが回転自在に嵌め込まれている。
【００１９】
また、背板１２及びベース板３１には４つの挿通穴１２Ａ、３１Ｃが四角形の各頂点の位置に形成され、又挿通穴１２Ａの背板１２の正面側の部分は図３の（ａ）に示されるように座ぐり（凹部）が行われており、挿通穴１２Ａ、３１Ｃには背板１２の正面側からリベット４０が挿通されてかしめられることによってベース板３１が背板１２に固定されている。
【００２０】
以上のように、本例の卓上鏡はリベット４０によってベース板３１を背板１２に固定するようにしたので、スタンド２０に過大な荷重や衝撃が加わってもベース板３１が背板１２から剥がれるおそれはなく、商品の信頼性を大幅に向上することができる。
【００２１】
また、挿通穴１２Ａの背板１２正面側には座ぐりを行ってリベット４０の端部を嵌め込むようにうしたので、リベット４０が背板１２表面から突き出ることはなく、鏡板１１を確実かつ安定に背板１２に取り付けることができる。
【００２２】
また、取付けブラケット３２の内端側に逆Ｌ字状の係止突起３２Ａを形成するようにしたので、スタンド２０を大きく傾斜させると、スタンド２０が係止突起３２Ａに当たり、それ以上の傾動を規制するので、鏡本体１０に過大な荷重や衝撃が加わってもスタンド２０が大きく傾くことはなく、荷重や衝撃によって卓上鏡が破損するおそれがない。
【００２３】
図５及び図６は第２の実施形態を示す。図において、図１ないし図４と同一符号は同一又は相当部分を示す。本例では鏡板１１’及び背板１２’が八角形状に形成され、鏡板１２’及び背板１２’の周縁を金属製フレーム１４が覆っている以外、第１の実施形態と同様の構造に形成されている。
【００２４】
なお、上記の例ではリベットを用いてベース板を背板に固定するようにしたが、ねじを用いて固定するようにしてもよい。
【符号の説明】
【００２５】
１０      鏡本体
１１      鏡板
１２      背板
１２Ａ    挿通穴
２０      スタンド
３０      取付け部材
３１      ベース板
３１Ｃ    挿通穴
３２      取付けブラケット
３２Ａ    係止突起
４０      リベット
【図１】
0003179707.tif 000003
【図２】
0003179707.tif 000004
【図３】
0003179707.tif 000005
【図４】
0003179707.tif 000006
【図５】
0003179707.tif 000007
【図６】
0003179707.tif 000008